【事件の表示】
　平成　８年特許願第１７４１５６号「暖房装置および施工用補強部材」拒絶査定不服審判事件〔平成１０年　１月　６日出願公開、特開平１０−　　２５６９〕について、次のとおり審決する。
【結　論】
　本件審判の請求は、成り立たない。
【理　由】
１．手続の経緯、本願発明
　本願は、平成８年６月１２日の出願であって、その特許請求の範囲の請求項３に係る発明は、平成１７年１０月３日付手続補正書および平成１８年１月２６日付手続補正書によって補正された明細書及び図面の記載からみて、その特許請求の範囲の請求項３に記載された次のとおりのものと認める（以下、「本願発明」という）。
　「複数の温水マットを並設する場合に、温水マット間に配置される施工用補強部材であり、
　補強部材と、
　上記補強部材上の全面を被覆すると共に、その幅方向両側へ延出された張出放熱材とを備え、
　張出放熱材の表面に、補強部材の位置マーキングが施されていると共に、上記張出放熱材の張出部に接着剤が塗布され、接着剤上に剥離紙が貼り付けられていることを特徴とする、施工用補強部材。」
　
２．引用例
（１）引用例１（実願平５−７２８５６号（実開平７−３５６３４号）のＣＤ−ＲＯＭ）
　原査定の拒絶の理由において引用された実願平５−７２８５６号（実開平７−３５６３４号）のＣＤ−ＲＯＭ（以下、「引用例１」という。）には、図面とともに以下の事項が記載されている。
　
・「【産業上の利用分野】
　本考案は通常の断熱材や床暖房パネル等の床下敷込み時に用いる根太間敷設材の支持具に関する。」（段落【０００１】）
　
・「【実施例】
　以下に、本考案の実施例を添付図面を参照しながら説明する、図１において、１は上面板部であって、その長さ方向に沿う両側辺１ａ，１ａには根太の側面を長さ方向にわたって挾着できるようにした側面板部２，２が下方へ向けてそれぞれ連設されている。そして、両側面板部２，２の各下縁２ａ，２ａに支持肩部３，３が外方へ向けて水平に連設されている合成樹脂製の長尺枠体を一体的に形成し、上面板部１には床仕上げ材固定用の多数の窓穴４を列設して支持具を構成する。」（段落【０００７】）
　
・「また、根太間に敷設される被支持材が床暖房パネルの場合には、図２に示すように本支持具の上面板部１に両側縁部を該上面板部１より張り出させてアルミニウム箔や銅箔等の金属箔５を粘着又は接着し、その張り出し部５ａ，５ａの裏面の粘接着剤層６上に剥離紙７を貼付しておくものである。金属箔５には必要に応じ上面板部１の窓穴４に対応させて窓穴５ｂが設けられている。この場合、用いられる金属箔５は厚みが０．０１〜１ｍｍ程度，張り出し部５ａの幅が１０〜５０ｍｍ程度のものである。」（段落【０００９】）
　
・「合成樹脂製である本支持具は根太に嵌着して用いることで、根太と被支持材との間に床下空間に連通する間隙をなくし断熱作用を発揮できるが、金属箔５が上面板部１に粘着または接着されていると、根太上に臨んだ床の部分にも床暖房パネルからの発熱がむらなく伝導し、床暖房効果を促進できるものであって、その使用例は図３に示されている。」（段落【００１０】）
　
・「図３において、１１は大引き、１２は大引き１１上に横架した根太であり、根太１２の全長にわたって本支持具が上面板部１と側面板部２，２により嵌着されている。１３は根太１２間に敷設された通常の床暖房パネルであって、本支持具の支持肩部３，３により支持されている。金属箔５の張り出し部５ａ，５ａ裏面の剥離紙７は引き剥がされ、床暖房パネル１３の上面被覆材であるアルミニウム箔１３ａ上に張り出し部５ａが貼着されている。１４は床仕上げ材、１５は床仕上げ材１４の固定用釘である。なお、図示省略したが、床仕上げ材１４は、本支持具の窓穴４，５ｂを通して接着剤にても根太に直接固定されている。」（段落【００１１】）
　
　段落【０００９】には、「金属箔５には必要に応じ上面板部１の窓穴４に対応させて窓穴５ｂが設けられている。」と記載されているので、金属箔５には窓穴５ｂを設けないことも記載されていると認められる。
　
　これらの記載を参照すれば、引用例１には以下のような発明が記載されている。
　「複数の床暖房パネルを並設する場合に、床暖房パネル間に配置される支持具であり、
　上面板部と、上面板部の長さ方向に沿う両側辺に下方に向けた側面部と、各側面部の各縁に支持肩部を有した長尺枠体と、
　上記長尺枠体の上面板部の全面を被覆すると共に、その幅方向両側へ張り出させたアルミニウム箔や銅箔等の金属箔とを備え、
　上記張り出させたアルミニウム箔や銅箔等の金属箔の張り出し部に粘接着剤層が設けられ、粘接着剤層上に剥離紙が貼付されている、支持具。」
　
（２）引用例２（特開平７−２６９０８３号公報）
　原査定の拒絶の理由において引用された特開平７−２６９０８３号公報（以下、「引用例２」という。）には、図面とともに以下の事項が記載されている。
　
・「【産業上の利用分野】本発明は、温度調整装置に係り、特に屋内の床等に配置して屋内の温度を調整する温度調整装置に関するものである。」（段落【０００１】）
　
・「暖房装置１０は、図１と図２および図３に示すような構造となっている。まず図１と図３を参照する。　暖房装置１０は、マット１２と、媒体を案内する手段としての温水パイプ１４、および複数本の小根太１６ａ，１６ｂ、および被覆部材としてのアルミ箔１８を有している。マット１２は、図２に示すように形成されている。すなわち、このマット１２には、複数本の温水パイプ１４が図１と図２に示すように配列もしくは配置されている。マット１２には、溝が形成されておりこの溝には小根太１６ａ，１６ｂが配置されている。
　図２に特に示すように、小根太１６ａ，１６ｂは、交互に配列されており、所定の間隔Ｌで平行になっている。この所定の間隔Ｌは、図１における根太２２の間隔Ｌと同じに設定されている。そして、この小根太１６ａ，１６ｂは、たとえば厚みが１２ｍｍで、幅が３５ｍｍである。」（段落【００１５】〜【００１６】）
　
・「ところで、アルミ箔１８は、図２の矢印ＸのＸ１方向もしくはその反対方向にそって貼り付けていくのが好ましい。この矢印Ｘは、小根太１６ａ，１６ｂの配置方向であるＹ方向と直交している。アルミ箔１８には、好ましくは、図１に示すようにマーキング１８ａが形成されている。このマーキング１８ａは、小根太１６ａ，１６ｂの位置を示すものであり、小根太１６ａ，１６ｂの長さに対応して形成されている。このマーキング１８ａは、たとえば緑の３０ｍｍ幅の線で構成できる。
　これにより、マーキング１８ａを見れば小根太位置が作業者に明白に確認できる。このアルミ箔１８をマット１２の上に貼った後で、図１と図２に示すようにフローリング３２を配置する。図７は、図２のＫ−Ｋ線における断面図であり、途中を省略して図示している。図７においてマット１２の一端部に形成されている溝３８には、４本の温水パイプ１４が埋め込まれている。マット１２の開口部１２Ａを形成する周囲部分１２Ｂは、第１の部位１２Ｃと第２の部位１２Ｄを有している。」（段落【００２４】〜【００２５】）
　
３．対比
　ここで本願発明と引用例１に記載の発明とを対比する。
　
　引用例１に記載の発明の「床暖房パネル」は、本願発明の「温水マット」に相当し、以下同様に、「支持具」は「施工用補強部材」に、「長尺枠体」は「補強部材」に、「張り出されたアルミニウム銅箔等の金属箔」は「張出放熱材」に、「金属箔の張り出し部」は「張出放熱材の張出部」に、「粘接着剤層」は「接着剤」に、それぞれ相当する。
　
　そうすると、本願発明と引用例１に記載の発明とは、
　「複数の温水マットを並設する場合に、温水マット間に配置される施工用補強部材であり、
　補強部材と、
　上記補強部材上の全面を被覆すると共に、その幅方向両側へ延出された張出放熱材とを備え、
　上記張出放熱材の張出部に接着剤が塗布され、接着剤上に剥離紙が貼り付けられていることを特徴とする、施工用補強部材。」
で一致し、下記の点で相違している。
　
　相違点：本願発明が「張出放熱材の表面に、補強部材の位置マーキングが施されている」のに対し、引用例１に記載の発明では、そのような事項を有していない点。
　
４．判断
　引用例２には、小根太の上のアルミ箔上に、小根太の位置を示すようにマーキングを施すことが記載されており、また、引用例１に記載の発明も、根太の上方に位置させて使用するものであるから、引用例１に記載の発明の発明の根太の上方に位置することになる張出放熱材（金属箔）に、引用例２に記載の事項を適用し、上記相違点に係る本願発明の構成を採用することは、当業者が容易になし得たことである。
　
　そして、本願発明の作用効果も、引用例１に記載の発明および引用例２に記載の事項から、当業者が予測し得る程度のものであって、格別なものとは認められない。
　
５．むすび
　以上のとおり、本願発明は、引用例１に記載の発明および引用例２に記載の事項に基づいて、当業者が容易に発明をすることができたものであるから、特許法第２９条第２項の規定により特許を受けることができない。
　
　よって、結論のとおり審決する。